(57)【要約】【課題】ブースタ回路及びフロントエンド部での飽和を防止し、受信障害発生を回避することが可能な受信装置及びブースタ装置を提供することを目的とする。【解決手段】チャンネルスキャンすることによって得られた放送波の周波数情報を、所定の周波数情報と比較し、重複する帯域がない場合、放送波の存在しない帯域を阻止するフィルタを挿入し、不要波による受信性能劣化を防止する。【選択図】  図１
2004328644.tif 000002
【特許請求の範囲】
【請求項１】
一定の周波数帯域内で、チャンネルをスキャンし、スキャンして得られた受信可能なチャンネルを記憶する機能を備え、且つ記憶されたチャンネルの周波数帯域を、所定の周波数帯域と比較し、重複する周波数帯域の有無を判別し、重複がない場合前記所定の周波数帯域を減衰させる機能を有する受信装置。
【請求項２】
請求項１に記載の受信装置に接続され、該受信装置から伝送される信号によって、所定の周波数帯域を減衰させる機能を有するブースタ装置。
【請求項３】
一定の周波数帯域内で、チャンネルをスキャンし、スキャンして得られた受信可能なチャンネルを記憶する機能を備え、且つ記憶されたチャンネルの上限周波数を所定の周波数帯域の下限周波数と比較し、前記上限周波数が所定の周波数帯域の下限周波数より低い場合、前記所定の周波数帯域を減衰させる機能を有する受信装置。
【請求項４】
請求項３に記載の受信装置に接続され、該受信装置から伝送される信号によって、所定の周波数帯域を減衰させる機能を有するブースタ装置。
【請求項５】
ＶＨＦからＵＨＦまでの周波数帯域内で、チャンネルをスキャンし、スキャンして得られた受信可能なチャンネルを記憶する機能を備え、且つ記憶されたチャンネルの下限周波数がＵＨＦ帯の周波数の場合、ＵＨＦ帯より低い周波数帯域を減衰させる機能を有する受信装置。
【請求項６】
請求項５に記載の受信装置に接続され、該受信装置から伝送される信号によって、所定の周波数帯域を減衰させる機能を有するブースタ装置。
【発明の詳細な説明】
【０００１】
【発明の属する技術分野】
本発明はＢＳ、地上波等の放送を受信するＴＶ、ＳＴＢ（セット・トップ・ボックス）などの受信装置（国際特許分類  Ｈ０４Ｂ  １／１６，１／１８）及びブースタ装置（国際特許分類Ｈ０３Ｇ  ３／３０）に関するものである
【０００２】
【従来の技術】
近年、放送のデジタル化が世界的規模で急速に浸透しつつあり、日本国内でも２０００年にＢＳデジタルが開始され、２００３年には地上波デジタル放送が開始される予定である。
【０００３】
以下に従来の受信装置及びブースタ装置について図３を用いて説明する。
【０００４】
図３は、従来の受信装置及びブースタ装置のブロック図を示すものである。図３において、３０１は受信アンテナ、３０２はブースタ装置、３０３は受信機本体、３０４はフロントエンド部、３０５はフィルタ、３０６は選局回路、３０７は復調回路、３０８はバックエンド、３０９は音声・映像出力回路、３１０はトラップ回路である。
【０００５】
以上のように構成された従来の受信装置及びブースタの動作について以下に説明する。
【０００６】
受信アンテナ３０１で受信された放送波は、ブースタ装置３０２で増幅され、受信機本体３０３のフロントエンド部３０４へと導かれ、３０５のフィルタを介し、３０６の選局回路により周波数変換された後、３０７の復調回路にてデジタル放送の場合ＴＳ（トランスポート・ストリーム）が出力される。出力されたＴＳはバックエンド３０８にて映像、音声にデコードされ、表示処理回路３０９により、ＴＶ映像、音声として出力される。
【０００７】
一部の受信機では、ＦＭ放送帯域の周波数の２倍の周波数のチャンネルを受信する場合に、ＦＭ放送帯域の周波数を減衰させるためのトラップ回路３１０を備えているものもある（例えば特許文献１参照。）。
【０００８】
【特許文献１】
特開２０００−３０７４４４号公報（第３−５頁、第１図）
【０００９】
【発明が解決しようとする課題】
しかしながら上記の従来例の構成では、現在、放送用に割り当てられている周波数帯域の一部が、将来的に異なる用途（例えば、移動体通信用）に割り当てられた場合に、これらの不要な電波が放送帯域の電波と同様にブースタ装置３０２及びフロントエンド部３０４に入力され、ブースタ装置３０２及びフロントエンド３０４内部の低雑音増幅器等が飽和し、所望の放送波の受信障害が発生するという問題点を有していた。
【００１０】
本発明は上記従来の問題点を解決するもので、不要な電波を減衰させることによってブースタ回路及びフロントエンド部での飽和を防止し、受信障害発生を回避することが可能な受信装置及びブースタ装置を提供することを目的とする。
【００１１】
【課題を解決するための手段】
これらの目的を達成するために本発明の受信装置及びブースタ装置は、一定の周波数帯域内で、チャンネルをスキャンし、スキャンして得られた受信可能なチャンネルを記憶する機能を備え、且つ記憶されたチャンネルの周波数帯域を、所定の周波数帯域と比較し、重複する周波数帯域の有無を判別し、重複がない場合前記所定の周波数帯域を減衰させる機能を有することを特徴とする。また、本発明のブースタ装置では、上記受信装置から伝送される電気信号によって、同様に所定の周波数帯域を減衰させる機能を有することを特徴とする。
【００１２】
本発明によれば、チャンネルをスキャンして得られた情報をもとに、不要な電波を減衰させるフィルタを挿入することにより、受信障害を回避可能な受信装置及びブースタ装置を実現することができる。
【００１３】
【発明の実施の形態】
本発明の請求項１に記載の発明は、一定の周波数帯域内で、チャンネルをスキャンし、スキャンして得られた受信可能なチャンネルを記憶する機能を備え、且つ記憶されたチャンネルの周波数帯域を、所定の周波数帯域と比較し、重複する周波数帯域の有無を判別し、重複がない場合前記所定の周波数帯域を減衰させる機能を有する受信装置であり、不要な電波を減衰させることによってフロントエンド部での飽和を防止し、受信障害発生を回避することが可能であるという作用を有する。
【００１４】
本発明の請求項２に記載の発明は、請求項１に記載の受信装置に接続され、該受信装置から伝送される信号によって、所定の周波数帯域を減衰させる機能を有するブースタ装置であり、不要な電波を減衰させることによってブースタ回路での飽和を防止し、受信障害発生を回避することが可能であるという作用を有する。
【００１５】
本発明の請求項３に記載の発明は、一定の周波数帯域内で、チャンネルをスキャンし、スキャンして得られた受信可能なチャンネルを記憶する機能を備え、且つ記憶されたチャンネルの上限周波数を所定の周波数帯域の下限周波数と比較し、前記上限周波数が所定の周波数帯域の下限周波数より低い場合、前記所定の周波数帯域を減衰させる機能を有する受信装置であり、不要な電波を減衰させることによってフロントエンド部での飽和を防止し、受信障害発生を回避することが可能であるという作用を有する。
【００１６】
本発明の請求項４に記載の発明は、請求項３に記載の受信装置に接続され、該受信装置から伝送される信号によって、所定の周波数帯域を減衰させる機能を有するブースタ装置であり、不要な電波を減衰させることによってブースタ回路での飽和を防止し、受信障害発生を回避することが可能であるという作用を有する。
【００１７】
本発明の請求項５に記載の発明は、ＶＨＦからＵＨＦまでの周波数帯域内で、チャンネルをスキャンし、スキャンして得られた受信可能なチャンネルを記憶する機能を備え、且つ記憶されたチャンネルの下限周波数がＵＨＦ帯の周波数の場合、ＵＨＦ帯より低い周波数帯域を減衰させる機能を有する受信装置であり、不要な電波を減衰させることによってフロントエンド部での飽和を防止し、受信障害発生を回避することが可能であるという作用を有する。
【００１８】
本発明の請求項６に記載の発明は、請求項５に記載の受信装置に接続され、該受信装置から伝送される信号によって、所定の周波数帯域を減衰させる機能を有するブースタ装置であり、不要な電波を減衰させることによってブースタ回路での飽和を防止し、受信障害発生を回避することが可能であるという作用を有する。
【００１９】
以下、本発明の実施の形態について、図１から図２を参照しながら説明する。
【００２０】
（実施の形態１）
図１は本発明の実施の形態１における受信装置のブロック図である。
【００２１】
図１において、１０１は受信アンテナ、１０２はブースタ装置、１０３は受信装置本体、１０４はフロントエンド部、１０５はフィルタ切替回路、１０６は帯域阻止フィルタ、１０７は選局回路、１０８は復調回路、１０９はバックエンド、１１０は音声・映像出力回路である。以上のように構成される端末装置の動作について、以下、説明する。図１のように、受信装置本体１０３を設置した後、及び各放送局の番組情報取得時のチャンネルスキャン動作を行う場合の動作について説明する、受信アンテナ１０１で受信された放送波は、ブースタ装置１０２で増幅され、受信機本体１０３のフロントエンド部１０４へと導かれる。チャンネルスキャンを行う場合、帯域阻止フィルタ１０６は、フィルタ切替回路１０５によってオフ状態となり、受信された放送波は選局回路１０７により周波数変換された後、復調回路１０８にてデジタル放送と確認された場合、そのチャンネルの情報を蓄積した後、選局回路１０７で別のチャンネルを選局し、帯域内全てのチャンネルについて上記の動作を繰り返すことによって、受信可能な周波数帯域を決定する。この受信可能な周波数帯域を、所定の周波数帯域と比較し、重複がない場合、フィルタ切替回路１０５によって帯域阻止フィルタ１０６が挿入され、チャンネルスキャン後の選局動作時には、所定の周波数帯域は帯域阻止フィルタ１０６で減衰されるため、フロントエンド部１０４の不要な電波による飽和やビートの発生による受信障害を防止することが可能となる。
【００２２】
なお、本実施の形態では、説明の簡略化のため、帯域阻止フィルタ１０６を１種類しか記載していないが、複数の帯域に対応したフィルタ切替回路１０５及び帯域阻止フィルタ１０６を載置し、チャンネルスキャンの情報をもとに各々切り替えることも可能であることは言うまでもない。
【００２３】
（実施の形態２）
図２は本発明の実施の形態２における受信装置及びブースタ装置のブロック図である。
【００２４】
図２において、２０１は受信アンテナ、２０２はブースタ装置、２０３は受信装置本体、２０４はフロントエンド部、２０５はフィルタ切替回路、２０６は帯域阻止フィルタ、２０７は選局回路、２０８は復調回路、２０９はバックエンド、２１０は音声・映像出力回路、２１１はレベル変換回路、２１２はブースタ装置のフィルタ切替回路、２１３はブースタ装置の帯域阻止フィルタ、２１４は増幅回路、２１５はブースタのフィルタ切替回路２１２を制御する制御回路である。実施の形態２は図１に示す実施の形態１において、受信装置１０３のチャンネルスキャン後の情報をもとに、ブースタ装置のフィルタ切替回路２１２を受信装置２０３のフィルタ切替回路と同期して、フィルタ切替の情報を電気信号に変換するレベル変換回路２１１及び、レベル変換回路からの電気信号によってフィルタ切替回路２１２を制御する制御回路２１５を追加したものであり、基本的な原理、動作は実施の形態１と同内容のため詳細は省略する。
【００２５】
（実施の形態３）
実施の形態３は図１に示す実施の形態１において、チャンネルスキャンによって得られた上限周波数を所定の周波数帯域の下限周波数と比較し、前記上限周波数が所定の周波数帯域の下限周波数より低い場合、前記所定の周波数帯域を減衰させるものであり、基本的な原理、動作は実施の形態２と同内容のため詳細は省略する。
【００２６】
（実施の形態４）
実施の形態４は図２に示す実施の形態２において、チャンネルスキャンによって得られた受信可能な上限周波数を所定の周波数帯域の下限周波数と比較し、前記上限周波数が所定の周波数帯域の下限周波数より低い場合、前記所定の周波数帯域を減衰させるものであり、基本的な原理、動作は実施の形態２と同内容のため詳細は省略する。
【００２７】
（実施の形態５）
実施の形態５は図１に示す実施の形態１において、チャンネルスキャンによって得られたＶＨＦからＵＨＦまでの周波数帯域内で、受信可能なチャンネルの下限周波数がＵＨＦ帯の周波数の場合、ＵＨＦ帯より低い周波数帯域を減衰させるものであり、基本的な原理、動作は実施の形態２と同内容のため詳細は省略する。
【００２８】
（実施の形態６）
実施の形態６は図２に示す実施の形態２において、チャンネルスキャンによって得られたＶＨＦからＵＨＦまでの周波数帯域内で、受信可能なチャンネルの下限周波数がＵＨＦ帯の周波数の場合、ＵＨＦ帯より低い周波数帯域を減衰させるものであり、基本的な原理、動作は実施の形態２と同内容のため詳細は省略する。
【００２９】
【発明の効果】
以上のように本発明は、一定の周波数帯域内で、チャンネルをスキャンし、スキャンして得られた受信可能なチャンネルを記憶する機能を備え、且つ記憶されたチャンネルの周波数帯域を、所定の周波数帯域と比較し、重複する周波数帯域の有無を判別し、重複がない場合前記所定の周波数帯域を減衰させることにより、受信障害を容易に回避可能な受信装置及びブースタ装置を実現するものである。
【図面の簡単な説明】
【図１】本発明の実施の形態１における受信装置のブロック図
【図２】本発明の実施の形態２における受信装置及びブースタ装置のブロック図
【図３】従来の受信装置のブロック図
【符号の説明】
１０１，２０１  受信アンテナ
１０２，２０２  ブースタ装置
１０３，２０３  受信装置本体
１０４，２０４  フロントエンド部
１０５，２０５  フィルタ切替回路
１０６，２０６  帯域阻止フィルタ
１０７，２０７  選局回路
１０８，２０８  復調回路
１０９，２０９  バックエンド
１１０，２１０  音声・映像出力回路
２１１  レベル変換回路
２１２  フィルタ切替回路
２１３  帯域阻止フィルタ
２１４  増幅回路
２１５  制御回路
【図１】
2004328644.tif 000003
【図２】
2004328644.tif 000004
【図３】
2004328644.tif 000005